(57)【要約】【課題】ディスク型の記録媒体に印刷を行なう印刷システムにおいて、印刷位置ずれを簡易に補正する。【解決手段】ディスク収容具に収容したディスク型の記録媒体に印刷を行なう印刷システムであって、前記ディスク収容具に付された検出対象部の位置を検知する位置検出手段と、検出した検出対象部の位置に基づいて、印刷すべき画像の印刷位置を設定する印刷位置設定手段とを備えることを特徴とする印刷システムを提供する。【選択図】図５
2004160853.tif 000002
【特許請求の範囲】
【請求項１】
ディスク収容具に収容したディスク型の記録媒体に印刷を行なう印刷システムであって、
前記ディスク収容具に付された検出対象部の位置を検知する位置検出手段と、
検出した検出対象部の位置に基づいて、印刷すべき画像の印刷位置を設定する印刷位置設定手段とを備えることを特徴とする印刷システム。
【請求項２】
ディスク収容具に収容したディスク型の記録媒体に印刷を行なう印刷装置であって、
前記ディスク収容具に付された検出対象部の位置を検知する位置検出手段と、
前記位置検出手段を用いて検出した検出対象部の位置とあらかじめ予定された検出対象部の位置との差に基づいて調整値を算出する算出手段とを備えることを特徴とする印刷装置。
【請求項３】
請求項２に記載の印刷装置において、
算出された調整値を記憶する調整値記憶手段をさらに備えることを特徴とする印刷装置。
【請求項４】
請求項２または３に記載の印刷装置において、
当該印刷装置は、印刷機構が主走査方向に往復運動を行なうシリアル印刷方式であり、
前記位置検出手段は、前記印刷機構に設けられていることを特徴とする印刷装置。
【請求項５】
請求項４に記載の印刷装置において、
前記ディスク収容具に付された検出対象部は、収容されるディスク型の記録媒体の主走査方向の直径の延長上の１ヶ所と、これに直交する方向の直径の延長上の１ヶ所に付されていることを特徴とする印刷装置。
【請求項６】
請求項３に記載の印刷装置において、
ディスク収容具が取り外されたことを検知する取り外し検知手段をさらに備え、
取り外し検知手段がディスク収容具が取り外されたことを検知すると、前記調整値記憶手段に記憶している調整値を消去することを特徴とする印刷装置。
【請求項７】
ディスク収容具に収容したディスク型の記録媒体に印刷を行なう印刷装置であって、前記ディスク収容具に付された検出対象部の位置を検知する位置検出手段と、前記位置検出手段を用いて検出した検出対象部の位置とあらかじめ予定された検出対象部の位置との差に基づいて調整値を算出する算出手段とを備えた印刷装置に印刷データを出力するプリンタホストであって、
算出された調整値を取得する調整値取得手段と、
取得した調整値に基づいて印刷すべき画像の印刷位置を調整した印刷データを生成する印刷データ生成手段とを備えることを特徴とするプリンタホスト。
【発明の詳細な説明】
【０００１】
【発明の属する技術分野】
本発明は、印刷システムに係り、特に、ディスク型の記録媒体に印刷を行なう印刷システムに関する。
【０００２】
【従来の技術】
ディスク型の記録媒体、例えば、ＣＤ−Ｒ（ＣＤ  Ｒｅｃｏｒｄａｂｌｅ）、あるいは、ＤＶＤ−Ｒ（ＤＶＤ  Ｒｅｃｏｒｄａｂｌｅ）等のレーベル面を対象とした印刷（以下、ＣＤ−Ｒを対象とした印刷を例に説明する）が可能なプリンタが実用化されている。
【０００３】
このようなプリンタでは、ＣＤ−Ｒを収容するためのトレイと、トレイをプリンタにセットするためのガイドとを添付している。ユーザは、ＣＤ−Ｒ印刷を行なう場合には、プリンタにガイドを取り付け、ＣＤ−Ｒを収容したトレイをガイドに沿ってセットする。印刷を開始すると、プリンタは、ＣＤ−Ｒをトレイごと筐体内に引き込んで、ＣＤ−Ｒ印刷を行なうようになっている。
【０００４】
トレイをプリンタにセットするためのガイドは、着脱可能なため、取り付け操作のたびに、位置ずれが生じる場合がある。また、製品の個体差によってもガイドの位置ずれが生じる場合がある。
【０００５】
ガイドに位置ずれが発生すると、ＣＤ−Ｒへの画像の印刷位置もずれることになり、印刷結果の品質が低下する。このため、従来は、位置ずれ量を計測するためのＣＤ−Ｒと同サイズの調整用のシートを製品に添付して、計測された縦横の位置ずれの値を調整値としてプリンタホストに入力することで、画像の印刷位置の調整を行なっていた。
【０００６】
【発明が解決しようとする課題】
この調整値の入力処理は、位置ずれ量を計測した上に、調整値を手作業で入力しなくてはならないため、ユーザに負担を強いるものであった。
【０００７】
本発明の目的は、ディスク型の記録媒体に印刷を行なう印刷システムにおいて、印刷位置ずれを簡易に補正することにある。
【０００８】
【課題を解決するための手段】
上記課題を解決するため、本発明によれば、
ディスク収容具に収容したディスク型の記録媒体に印刷を行なう印刷システムであって、
前記ディスク収容具に付された検出対象部の位置を検知する位置検出手段と、
検出した検出対象部の位置に基づいて、印刷すべき画像の印刷位置を設定する印刷位置設定手段とを備えることを特徴とする印刷システムが提供される。
【０００９】
これにより、自動的に印刷位置ずれを補正するための調整値を計測し、計測された調整値に基づいて印刷が行なわれるため、印刷位置ずれを簡易に補正することができる。
【００１０】
検出対象部の位置の検知を毎回行なわなくてもよいように、算出された調整値を記憶する調整値記憶手段をさらに備えるようにしてもよい。
【００１１】
このとき、ディスク収容具が取り外されたことを検知する取り外し検知手段をさらに備え、
取り外し検知手段がディスク収容具が取り外されたことを検知すると、前記調整値記憶手段に記憶している調整値を消去するようにすることができる。ディスク収容具を取り外し、再度セットした場合には、記憶している調整値を用いずに、調整値を計測し直した方が、精度の観点から望ましいからである。
【００１２】
また、印刷機構が主走査方向に往復運動を行なうシリアル印刷方式採用し、
前記位置検出手段は、前記印刷機構に設けるようにすることができる。
【００１３】
これにより、位置検出手段と印刷機構との位置関係が固定されるため、調整値の精度を高めることができる。
【００１４】
このとき、前記ディスク収容具に付された検出対象部は、収容されるディスク型の記録媒体の主走査方向の直径の延長上の１ヶ所と、これに直交する方向の直径の延長上の１ヶ所に付されることが望ましい。
【００１５】
調整値は、ディスク型の記録媒体の縦横方向で取得できればよいからである。
【００１６】
【発明の実施の形態】
本発明の実施の形態について図面を参照して説明する。
【００１７】
図１は、本発明を適用した印刷システムのハードウェア構成の概要を説明するためのブロック図である。
【００１８】
本図に示すように、印刷システムは、アプリケーションによる各種処理、プリンタドライバによる印刷処理等を実現するためのコンピュータ５０と、このコンピュータ５０に接続されるディスク型記録媒体印刷対応プリンタ１０（以下、単に「プリンタ１０」とも記す）とを備えて構成される。本実施形態において、コンピュータ５０は、印刷データを生成し、プリンタ１０に送信するプリンタホストとして機能する。一方、プリンタ１０は、コンピュータ５０から受信した印刷データに基づいて印刷を行なう装置である。プリンタ１０は、定形の印刷用紙等に加え、ＣＤ−Ｒ、ＤＶＤ−Ｒ等のディスク型記録媒体に印刷を行なうための機能を備えている。なお、印刷システムの構成はこれに限られない。
【００１９】
コンピュータ５０は、各種プログラムに基づいて処理を行うＣＰＵ（Ｃｅｎｔｒａｌ  Ｐｒｏｃｅｓｓｉｎｇ  Ｕｎｉｔ）５１、データおよびプログラム等を一時的に記憶するＲＡＭ（Ｒａｎｄｏｍ  Ａｃｃｅｓｓ  Ｍｅｍｏｒｙ）５２、コンピュータ５０を制御するための各種データ、起動時用プログラム等があらかじめ不揮発的に記憶されているＲＯＭ（Ｒｅａｄ  Ｏｎｌｙ  Ｍｅｍｏｒｙ）５３、および、接続されたプリンタ１０等の周辺装置とのデータの送受信をつかさどるインタフェース５４を備えている。
【００２０】
また、コンピュータ５０には、カラーディスプレイ等の表示装置６１、マウス、キーボード等の入力装置６２、ＣＤ−ＲＯＭ等の記録媒体からデータを読み取るメディア読取装置６３、および、内蔵または外付けの補助記憶装置６４、インターネット等のコンピュータネットワークに接続するための通信制御装置６５が接続されている。ただし、コンピュータ５０の構成はこれに限られない。
【００２１】
プリンタ１０は、例えば、インクジェット方式のカラープリンタである。インクジェット方式のカラープリンタは、筐体内にインクを充填したインクカートリッジを複数備え、このインクを印刷ヘッドから印刷用紙等の印刷媒体に吹き付けて印刷を行なう。
【００２２】
プリンタ１０は、データの受信等、コンピュータ５０との通信をつかさどるインタフェース１１と、印刷データ、各種プログラム等に基づいて処理を行なうＣＰＵ１２と、印刷データ等を一時的に記憶するＲＡＭ１３と、プリンタ１０を制御するための各種データ、各種プログラム等があらかじめ不揮発的に記憶されているＲＯＭ１４と、インクを吐出する印刷ヘッド、印刷ヘッドを搭載するキャリッジを駆動するキャリッジ駆動機構等からなる印刷機構１５と、印刷用紙等の給排紙を行なう給排紙機構１６とを備えて構成される。ただし、プリンタ１０の構成はこれに限られない。
【００２３】
本実施の形態で用いられるプリンタ１０がＣＤ−Ｒ印刷を行なう場合の印刷機構１５および給排紙機構１６の概略について図２を参照して説明する。
【００２４】
図２は、プリンタ１０を上部から見たときの構成の概要を示している。ＣＤ−Ｒ印刷を行なう場合には、本図に示すように、プリンタ１０本体に、着脱可能なＣＤ−Ｒ印刷用のガイド４０が装着される。ユーザは、ＣＤ−Ｒ６０をＣＤ−Ｒトレイ３０に載せて、ＣＤ−Ｒトレイ３０をガイド４０に設けられた仕切４０ａに沿って、プリンタ１０の本体に挿入する。
【００２５】
プリンタ１０は、複数のインクカートリッジを装着するキャリッジ２１と、キャリッジ２１に支持されるインクジェット式の印刷ヘッド２２と、主走査方向に往復運動するキャリッジ２１を支持する支持棒２４と、ＣＤ−Ｒトレイ３０を副走査方向に送ったり、プリンタ１０外に排出したりするための送り機構（図示せず）とを備えている。
【００２６】
図示しないキャリッジモータにより往復運動するキャリッジ２１には、ＣＤ−Ｒトレイ３０と対向する面にインクジェット式の印刷ヘッド２２が取り付けられている。印刷ヘッド２２は、インクカートリッジからインクの補給を受け、キャリッジ２１の移動に合わせてＣＤ−Ｒトレイ３０に載せられてＣＤ−Ｒ６０にインク滴を吐出してドットを形成し、ＣＤ−Ｒ６０に画像、文字等を印刷する。
【００２７】
また、キャリッジ２１の印刷ヘッド２２の近傍に、位置検出手段として、光学センサ２３が設けられている。光学センサ２３は、ＣＤ−Ｒトレイ３０上に付せられたマーク３１の位置を検知できるようになっている。なお、位置検出手段は、光学センサに限られない。
【００２８】
プリンタ１０は、ＣＤ−Ｒ６０等のディスク型記録媒体に限られず、通常の印刷用紙、厚紙等の印刷媒体に対する印刷が可能であるが、これらの印刷媒体はそれぞれ厚みが異なる。このため、キャリッジ２１は、印刷媒体の厚さに応じて印刷ヘッド２２と印刷媒体との距離を調節できるよう、調節機構により段階的に上下に移動可能になっている。調節機構は、例えば、調節用レバーを設けて、調節用レバーを印刷媒体に応じた位置にセットすることでキャリッジ２１の支持棒２４が上下するようなっている。
【００２９】
本実施形態において、調節用レバーがＣＤ−Ｒ印刷用の位置にセットされた場合には、図３に示すように、ＣＤ−Ｒトレイ３０を奥まで挿入したときに、ＣＤ−Ｒトレイ３０に載せられたＣＤ−Ｒ６０の主走査方向の直径の延長上に光学センサ２３が位置するようにＣＤ−Ｒトレイ３０を止めるストッパ２６が起動するようになっている。ストッパ２６は、例えば、調節用レバーに連動して、ＣＤ−Ｒトレイ３０の経路上に飛び出すような構造とすることができる。
【００３０】
このストッパ２６は、印刷開始時および後述する調整値取得時には、自動的に解除され、ＣＤ−Ｒトレイ３０をプリンタ１０内部にさらに引き込めるようになっている。
【００３１】
図４は、ＣＤ−Ｒトレイ３０の概略を示す図である。ＣＤ−Ｒトレイ３０は、ＣＤ−Ｒ６０を動かないように載せるために、ＣＤ−Ｒの大きさのくぼみが形成されている。また、くぼみの脇には、光センサ２３で検知可能なマーク３１が２ヶ所設けられている。このマークは、図に示すように、主走査方向の直径の延長上の片側（キャリッジ２１のホームポジション側）３１ａと、副走査方向の直径の延長上の片側（プリンタの外側）３１ｂとのそれぞれの位置に設けられ、接線方向に伸ばした線状となっている。マーク３１の形状を線状としたのは、光センサ２３で検出しやすいようにするためであるが、これに限られず、例えば点状等としてもよい。また、マーク３１は、印刷されたもの、あるいは、物理的に形成されたものであってもよいし、例えば、位置検出手段に応答するチップ等で構成してもよい。
【００３２】
次に、上記印刷システムによりコンピュータ５０およびプリンタ１０に実現される機能構成について、図５のブロック図を参照して説明する。
【００３３】
本図に示すように、コンピュータ５０上には、アプリケーション部５１０とプリンタドライバ部５２０とが構築される。
【００３４】
アプリケーション部５１０は、ＣＤ−Ｒに印刷する画像データを作成するための処理をコンピュータ５０に行なわせるための機能を有しており、ＲＡＭ５２が読み込んだアプリケーションプログラムを、ＣＰＵ５１が実行することによりコンピュータ５０上に構築される。
【００３５】
プリンタドライバ部５２０は、アプリケーション部５１０が生成した画像データを読み込んで、プリンタ１０が解釈できる形式の印刷データに変換し、インタフェース５４を介してプリンタ１０に送信する機能を有している。
【００３６】
このため、プリンタドライバ部５２０は、ユーザからの印刷指示等を受け付けるユーザインタフェース部５２１と、アプリケーション部５１０が生成した画像データを、ドットの集合体であるイメージデータに展開するラスタライズ処理と、イメージデータの色変換処理および中間調処理を行なうハーフトーン処理と、処理後のイメージデータを印刷データに変換する処理とを行なう印刷データ生成部５２２と、プリンタ１０との間の情報の送受信、例えば、印刷データの送信、プリンタ情報の受信等を行なう通信部５２３とを備えている。
【００３７】
印刷データ生成部５２２は、ＣＤ−Ｒを対象とした印刷を行なう場合には、調整値を取得して、取得した調整値に基づいて画像の印刷位置を設定し、印刷データに指示を含める。
【００３８】
本実施形態において、印刷データ生成部５２２が調整値を取得する方法は、３通りある。第１の方法は、プリンタ１０に調整値計測命令を送り、プリンタ１０が調整値計測処理の結果得られた調整値を取得する方法である。第２の方法は、プリンタ１０が保存している調整値を取得する方法である。第３の方法は、従来通り、ユーザが入力した調整値を取得する方法である。
【００３９】
プリンタドライバ部５２０は、ＲＡＭ５２が読み込んだプリンタドライバプログラムを、ＣＰＵ５１が実行することによりコンピュータ５０上に構築される。このためのプリンタドライバプログラムは、例えば、ＣＤ−ＲＯＭ等の可搬型の記録媒体に記録することで流通させることができる。そして、この記録媒体を、メディア読取装置６３で読み取ることにより、コンピュータ５０にプリンタドライバプログラムをインストールすることができる。また、例えば、インターネット等のコンピュータネットワークを介してコンピュータ５０にインストールすることもできる。
【００４０】
図５において、プリンタ１０上には、通信部１１０、印刷制御部１２０および印刷実行部１３０が構築される。
【００４１】
通信部１１０は、コンピュータ５０との間の情報の送受信、例えば、印刷データの受信、プリンタ情報の送信等を行なう。
【００４２】
印刷制御部１２０は、コンピュータ５０から送信された印刷データを解釈して、印刷データに基づく印刷をプリンタ１０で実行するための制御を行なう。印刷制御部１２０は、ＲＡＭ１３が読み込んだプログラムおよび印刷データに基づいて、ＣＰＵ１２が処理を行なうことによりプリンタ１０上に構築される。
【００４３】
本実施形態において、印刷制御部１２０は、ＣＤ−Ｒ印刷時に用いる調整値を記憶する調整値記憶部１２１を備えている。
【００４４】
印刷実行部１３０は、印刷制御部１２０の指示にしたがって、ロール紙２２に対する印刷を実行する。印刷実行部１３０は、印刷機構１５、給排紙機構１６がそれぞれの処理を行なうことでプリンタ１０上に構築される。
【００４５】
本実施形態において、印刷実行部１３０は、ＣＤ−Ｒ印刷時に用いる調整値を取得する調整値計測部１３１を備えている。
【００４６】
調整値計測部１３１が、調整値を取得する処理について図６のフロー図を参照して説明する。
【００４７】
処理開始時には、ストッパ２６により、ＣＤ−Ｒトレイ３０のマーク３１ａは、キャリッジ２１が主走査方向に移動したときの光学センサ２３の移動経路上に存在している（図７参照）。
【００４８】
調整値計測部１３１は、まず、キャリッジ２１を、光学センサ２３がマーク３１ａを検出するまで、主走査方向に移動させる（Ｓ１０１）。
【００４９】
そして、検出した位置を取得し（Ｓ１０２）、未調整の場合のデフォルト位置と、マークを検知したときの位置の差から、主走査方向の調整値を算出する（Ｓ１０３）。
【００５０】
その後、光学センサ２３がＣＤ−Ｒ６０の中心（副走査方向の直径の延長上）に来るようにキャリッジ２１を移動させる（Ｓ１０４）。このとき、マーク３１ａからＣＤ−Ｒ６０の中心までの距離は既知であるため、キャリッジ２１は、容易に移動させることができる。
【００５１】
つぎに、ストッパ２６を解除して、図８に示すように、ＣＤ−Ｒトレイ３０を、光学センサ２３がマーク３１ｂを検出するまで、副走査方向に引き込む（Ｓ１０５）。
【００５２】
そして、検出した位置を取得し（Ｓ１０６）、未調整の場合のデフォルト位置と、マークを検知したときの位置の差から、副走査方向の調整値を算出する（Ｓ１０７）。
【００５３】
最後に、計測した調整値を、調整値記憶部１２１に記憶して（Ｓ１０８）、調整値計測処理を終了する。
【００５４】
このように、本実施形態によれば、光学センサ２３を、キャリッジ２１に取り付けているため、光学センサ２３と印刷ヘッド２２との位置関係が固定される。これにより、計測される調整値の精度を高めることができる。
【００５５】
なお、プリンタ１０にＣＤ−Ｒトレイ着脱センサ（光学センサ２３が兼ねてもよい）を設けて、ＣＤ−Ｒトレイ３０が取り外されたことを検知した場合には、調整値記憶部１２１に記憶している調整値をクリアするようにすることができる。調整値計測後、ＣＤ−Ｒトレイ３０を取り外し、再度セットした場合には、保存している調整値を用いずに、調整値を計測し直した方が、精度の観点から望ましいからである。
【００５６】
図１２は、調整値計測部１３１が調整値をクリアする処理を説明するフロー図である。調整値計測部１３１は、ＣＤ−Ｒトレイ着脱センサに基づいて、ＣＤ−Ｒトレイ３０の着脱を監視する（Ｓ３０１）。そして、ＣＤ−Ｒトレイ３０が取り外されたことを検知すると（Ｓ３０２：Ｙ）、調整値記憶部１２１に記憶している調整値をクリアする（Ｓ３０３）。
【００５７】
また、光学センサ２３がマーク３１ｂを検出した位置が、ＣＤ−Ｒ６０の印刷開始位置と一致するように、マーク３１ｂと光学センサ２３との位置関係を設定することが望ましい。ここで、ＣＤ−Ｒ６０は、マーク３１ｂに最も近い場所から印刷が開始され、キャリッジ２１の主走査方向の往復運動と、ＣＤ−Ｒトレイ３０の排出方向への移動とにより印刷が行なわれていく。
【００５８】
つぎに、ＣＤ−Ｒ印刷を行なう際の、プリンタドライバ部５２０の調整値設定処理について図９のフロー図を参照して説明する。
【００５９】
本処理は、プリンタドライバ部５２０のユーザインタフェース部５２１が、ユーザからＣＤ−Ｒ印刷の指示を受け付けた場合に開始する。
【００６０】
図１０は、ユーザインタフェース部５２１が、ユーザからＣＤ−Ｒ印刷の指示を受け付けるための印刷設定画面７００の一例を示す。
【００６１】
プリンタドライバ部５２０のユーザインタフェース部５２１は、ユーザから、例えば、アプリケーション部５１０のメニューコマンドを介して、印刷設定の要求を受け付けると、図５に一例を示すような印刷設定画面７００を表示装置６１に表示して、ユーザから印刷設定を受け付ける。
【００６２】
本図に示すように、印刷設定画面７００は、用紙種類７０１でＣＤ−Ｒレベルの選択を受け付け可能なようになっている。用紙種類７０１でＣＤ−Ｒレベルの選択を受け付けると、さらに、ＣＤ−Ｒの印刷位置７０２において、「自動調整」「再調整」「調整値入力」のいずれかの選択を受け付けるようになっている。
【００６３】
「自動調整」は、プリンタ１０に調整値が保存されている場合には、保存されている調整値を用い、調整値が保存されていない場合には、調整値計測処理を行ない、計測された調整値を用いて印刷を行なう。
【００６４】
「再調整」は、調整値の保存の有無にかかわらず、調整値計測処理を行ない、計測された調整値を用いて印刷を行なう。
【００６５】
「調整値入力」は、従来と同様に、ユーザから調整値の入力を受け付けて、受け付けた調整値を用いて印刷を行なう。
【００６６】
プリンタドライバ部５２０の印刷データ生成部５２２は、ＣＤ−Ｒの印刷位置７０２で、調整値入力の選択を受け付け、調整ボタン７０３のクリックを受け付けると（Ｓ２０１：Ｙ）、図１１に示すような従来の調整値入力画面８００を表示して、ユーザから調整値の入力を受け付ける。そして、受け付けた調整値に基づいて画像の印刷位置を設定し、設定結果を印刷データに含めて、ＣＤ−Ｒへの印刷を実行する（Ｓ２０２）。なお、従来の調整値入力画面８００は、プリンタドライバ部５２０以外のアプリケーションソフトウェア部（図示せず）が提供するようにしてもよい。
【００６７】
プリンタドライバ部５２０の印刷データ生成部５２２は、ＣＤ−Ｒの印刷位置７０２で、再調整の選択を受け付けると（Ｓ２０３：Ｙ）、プリンタ１０に対して、調整値の計測処理を行なわせる（Ｓ２０４）。
【００６８】
そして、調整値の計測処理後、プリンタ１０が保存した調整値を取得する（Ｓ２０５）。この取得した調整値に基づいて画像の印刷位置を設定し、設定結果を印刷データに含めて、ＣＤ−Ｒへの印刷を実行する（Ｓ２０６）。
【００６９】
プリンタドライバ部５２０の印刷データ生成部５２２は、ＣＤ−Ｒの印刷位置７０２で、自動調整の選択を受け付けると（Ｓ２０３：Ｎ）、プリンタ１０に対して、調整値を保存しているかどうかを問い合わせる（Ｓ２０７）。その結果、調整値を保存している場合には（Ｓ２０７：Ｙ）、調整値を取得して、取得した調整値に基づいて画像の印刷位置を設定し、設定結果を印刷データに含めて、ＣＤ−Ｒへの印刷を実行する（Ｓ２０８）。一方、調整値を保存していない場合には（Ｓ２０７：Ｎ）、プリンタ１０に対して、調整値の計測処理を行なわせる（Ｓ２０４）。そして、調整値の計測処理後、プリンタ１０が保存した調整値を取得する（Ｓ２０５）。この取得した調整値に基づいて画像の印刷位置を設定し、設定結果を印刷データに含めて、ＣＤ−Ｒへの印刷を実行する（Ｓ２０６）。
【図面の簡単な説明】
【図１】印刷システムのハードウェア構成の概要を説明するためのブロック図。
【図２】プリンタ１０を上部から見たときの構成の概要を示す図。
【図３】ストッパ２６を説明する図。
【図４】ＣＤ−Ｒトレイ３０の概略を示す図。
【図５】機能構成を示すブロック図。
【図６】調整値を取得する処理を説明するフロー図。
【図７】光学センサ２３の移動とマーク３１ａとを説明する図。
【図８】光学センサ２３とマーク３１ｂの移動とを説明する図。
【図９】調整値設定処理を説明するフロー図。
【図１０】印刷設定画面７００の一例を示す図。
【図１１】従来の調整値入力画面８００の一例を示す図。
【図１２】保存した調整値をクリアする処理を説明するフロー図。
【符号の説明】
１０  プリンタ、１１  インタフェース、１２  ＣＰＵ、１３  ＲＡＭ、１４  ＲＯＭ、１５  印刷機構、１６  給排紙機構、２１  キャリッジ、２２  ロール紙、２２  印刷ヘッド、２３  光学センサ、２４  支持棒、２６  ストッパ、３０  トレイ、３１  マーク、４０  ガイド、５０  コンピュータ、５１  ＣＰＵ、５２  ＲＡＭ、５３  ＲＯＭ、５４  インタフェース、６１  表示装置、６２入力装置、６３  メディア読取装置、６４  補助記憶装置、６５  通信制御装置、１１０  通信部、１２０  印刷制御部、１２１  調整値記憶部、１３０  印刷実行部、１３１  調整値計測部、５１０  アプリケーション部、５２０  プリンタドライバ部、５２１  ユーザインタフェース部、５２２  印刷データ生成部、５２３  通信部
【図１】
2004160853.tif 000003
【図２】
2004160853.tif 000004
【図３】
2004160853.tif 000005
【図４】
2004160853.tif 000006
【図５】
2004160853.tif 000007
【図６】
2004160853.tif 000008
【図７】
2004160853.tif 000009
【図８】
2004160853.tif 000010
【図９】
2004160853.tif 000011
【図１０】
2004160853.tif 000012
【図１１】
2004160853.tif 000013
【図１２】
2004160853.tif 000014